(57)【要約】      （修正有）【課題】少数の替芯を容器本体から容易に取り出すことができる替芯ケースを提供する。【解決手段】有底筒状の容器本体１と、この容器本体の開口部１ｃを被覆して取り付けられ、内容物である替芯３が抜け落ちないようになす蓋体２とから少なくともなる替芯容器において、前記容器の芯収容空間１ａは、収容される替芯の両端部の前後関係が転替不能な最大径の筒穴状であり、この芯収容空間を形成する容器内壁部に、収容される替芯が乗りあげることによって、収容された替芯の一部を他より先端が突出した状態として容器本体の開口部より露出した状態となす替芯乗り上げ面を有する内方凸部１ｅ，１ｆを形成した替芯容器とする。【選択図】図１
2008055804.tif 000002
【特許請求の範囲】
【請求項１】
有底筒状の容器本体と、この容器本体の開口部を被覆して取り付けられ、内容物である替芯が抜け落ちないようになす蓋体とから少なくともなる替芯容器において、前記容器の芯収容空間は、収容される替芯の両端部の前後関係が転替不能な最大径を有する筒穴状であり、この芯収容空間を形成する容器内壁部に、収容される替芯が乗りあげることによって、収容された替芯の一部を他より先端が突出した状態として容器本体の開口部より露出した状態となす替芯乗り上げ面を有する内方凸部を形成した替芯容器。
【請求項２】
前記内方凸部の替芯乗り上げ面が、蓋体を容器本体に装着した状態で、この蓋体の替芯の端面が当接し得る底面から替芯の全長の１／２の長さの位置より前記容器本体のの底までの範囲で、かつ、前記容器本体の開口部から、収容される替芯の全長の長さ範囲に位置している請求項１記載の替芯容器。
【請求項３】
前記容器本体の芯収容空間の横断面が角部を有すると共に、前記内方凸部の替芯乗り上げ面が、この角部と連接して形成されている請求項１又は請求項２に記載の替芯容器。
【請求項４】
前記内方凸部の替芯乗り上げ面の面積が替芯の横断面積の３倍以上６倍以下である請求項１乃至請求項３のいずれかに記載の替芯容器。
【請求項５】
前記内方凸部の替芯乗り上げ面が、前記容器本体の底から１ｃｍ以上離れた距離にある請求項１乃至請求項４のいずれかに記載の替芯容器。
【発明の詳細な説明】
【技術分野】
【０００１】
本発明は、有底筒状の容器本体と、この容器本体の開口部を被覆して取り付けられ、内容物である替芯が抜け落ちないようになす蓋体とから少なくともなる替芯容器に関する。
【背景技術】
【０００２】
従来、シャープペンシルなどの替芯を収容する替芯容器には、一端が開口した有底筒状の容器本体の開口部を、容器の内容物である替芯が抜け落ちないようにする開閉自在な蓋体にて被覆し、使用時にこの蓋体を外して容器本体に振動を与えたり、容器本体を傾斜させたりして、替芯を取り出すというものが多く知られている。
【０００３】
例えば、一端が開口した単なる有底筒状の、シャープペンシルの替芯が収容される容器本体及び容器本体の開口部を被覆する蓋体によって替芯容器としたもの（特許文献１参照）が知られている。
【特許文献１】特開平１１−０９１２８７号公報
【発明の開示】
【発明が解決しようとする課題】
【０００４】
通常、シャープペンシルの内部に替芯を収容する芯収容部分の中に、替芯を入れすぎると替芯どうしの接触によって芯詰まりを生じ、シャープペンシルの筆記部分へ替芯が供給されなくなってしまう。そのため、一度にシャープペンシルの内部の芯収容部分に収容させる替芯は数本であればよく、それに伴い、一度の替芯容器からの替芯の取り出し本数も少数であることが望ましい。しかしながら、特許文献１に開示されているような、容器本体の内部を一端が開口した単なる有底筒状によって形成させただけでは、使用時において、蓋体を外して容器本体に振動を与えたり、容器本体を傾斜させたりすると、内部に収容されているほとんどの替芯が束になって取り出されてしまい、取り出された替芯の束を一端取り出して、少数の替芯を抜き取った後、残りの替芯を容器本体に戻したり、また、少数の替芯が取り出せるように、目視で確認しながら容器本体を傾斜する際に微振動を与えて取り出すなどしなければならず、少数の替芯を容器本体から容易に取り出すことができないという問題点があった。
【課題を解決するための手段】
【０００５】
本発明は、有底筒状の容器本体と、この容器本体の開口部を被覆して取り付けられ、内容物である替芯が抜け落ちないようになす蓋体とから少なくともなる替芯容器において、前記容器の芯収容空間は、収容される替芯の両端部の前後関係が転替不能な最大径を有する筒穴状であり、この芯収容空間を形成する容器内壁部に、収容される替芯が乗りあげることによって、収容された替芯の一部を他より先端が突出した状態として容器本体の開口部より露出した状態となす替芯乗り上げ面を有する内方凸部を形成した替芯容器を要旨とする。
【発明の効果】
【０００６】
蓋体により容器本体の開口部を閉塞した状態にて、容器本体の開口部側を下方に傾斜させ、蓋体側へ内容されている替芯を移動させた後、容器本体の開口部側を上方に傾斜させると、多くの替芯は容器本体の底に移動して元に戻るが、一部の替芯は内方凸部にて当接し底部への移動が止まり後退規制される。そのため、一部の替芯が内方凸部を乗り上げた状態になり、また、替芯を底部へ後退規制する内方凸部と容器本体の底との段差により、内方凸部を乗り上げた一部の替芯は、容器本体の底に移動して元に戻った多くの替芯よりも容器本体の開口部から突出して露出した状態となる。これにより、蓋体を取り外すことにより、一部の替芯を容器本体から容易に取り出すことができる。
【発明を実施するための最良の形態】
【０００７】
本発明の替芯容器は、有底筒状の容器本体に多数のシャープペンシルの替芯を収容し、この容器本体と、通常は閉塞させて、収容している替芯が抜け落ちないようになし、シャープペンシルの芯収容部分へ替芯を供給する際に開放させる蓋体を備え、シャープペンシルの芯収容部分へ替芯を供給する際に、少数の替芯のみを容器本体から取り出す場合に好適に使用できるものである。
尚、収容する替芯は、所謂シャープペンシルと呼ばれる細線状鉛筆芯を多数収容して、そのうちの一本をノック操作や回転繰り出し操作などでチャック機構を動かして選択的に突出させるようなものや、シャープペンシルと呼ばれるものよりも比較的太目の芯体を把持して筆記可能とするレッド・ホルダー式筆記具と呼ばれるものの替芯であってもよい。
【０００８】
容器本体の替芯が収容される芯収容空間は、蓋体を開放して替芯を取り出す際、容器本体の開口部へ向かって、様々な傾斜をなした方向性のない替芯が突出することなく、替芯の端部が一方向に束になって突出されて極力取り出し易くするために、替芯の両端部の前後関係が転替不能になるよう設定されている。複数本の替芯を収容する替芯容器とし、必要本数取り出して使用するものであるので、例えば２０本の替芯を芯収容空間に収容するような仕様であるならば、替芯の最大径の２０倍よりも大きな横断面の大きさとするとよい。
また、芯収容空間を形成する容器内壁部には、容器本体の開口部から、収容される替芯の全長の長さの範囲に内方凸部が設けられている。そのため、内方凸部には、収容される一部の替芯が乗り上げ、それによって、他の替芯との高低差が生じ、一部の替芯が容器本体の開口部から他の替芯よりも突出した状態で、露出されるようなしてある。
特に、内方凸部の替芯乗り上げ面は、替芯を容器本体から取り出す際、蓋体を取り外したとき、その直後に替芯が容器本体を飛び出してしまうことのないよう、蓋体を容器本体に装着した状態で、この蓋体の替芯の端面が当接し得る底面から替芯の全長の１／２の長さの位置より芯収容空間の底までの範囲であることが望ましい。
【０００９】
芯収容空間の横断面の形状は、替芯の両端部の前後関係が転替不能であるならば、円形、三角形などの多角形など種々なせるものであるが特に、内方凸部を容器内壁部が側方から覆うような形態となり得るように、内方凸部が連接した角部を有した形状であることが望ましい。これにより、内方凸部上に乗り上げた一部の替芯は、容器内壁部が側方からの支持部となるので、芯収容空間の底に脱落せず、内方凸部上に乗り上げた状態を極力維持することができ好適である。
【００１０】
内方凸部の替芯が乗り上げる面の面積は、一般的なシャープペンシルなどの芯収容部分に芯詰まりせず収容しできる本数を考慮すると、一度に取り出す替芯の本数は２〜５本であることが好ましいので、替芯の横断面積の３倍〜６倍が好適である。もちろん、替芯容器の仕様上１本又は７本以上の取り出しを行う場合は、内方凸部の替芯が乗り上げる面の面積を替芯の横断面積に対して適宜設定してもよい。
また、内方凸部の替芯が乗り上げる面は、容器本体の底から１ｃｍ以上の位置であると、一部の替芯は他の替芯よりも１ｃｍ以上突出することになるので、一部の替芯を指で摘んだ際、他の替芯を誤って摘むことが極力抑制され好適である。
【００１１】
容器本体の外部形状は、デザインなどの仕様に対する適宜形状でよいが、合成樹脂による射出成形におけるひけを考慮すれば、芯収容空間の横断面の形状と相似形状である方が好ましい。合成樹脂製の容器本体とする場合、多くの材質を成形性や価格面に応じて選択できるが、例えば、内部の替芯本数を目視にて確認可能とする場合には、透明性のあるアクリロニトリル・スチレン共重合体、ポリスチレン、アクリロニトリル・ブタジエン・スチレン共重合体、ポリメタクリレートなどの合成樹脂などが例示できる。その他、金属など替芯が収容可能な容器とするものであれば容器本体の様々な形成目的に合わせて使用材料を適宜選択できる。
【００１２】
蓋体は、容器本体の開口部を開閉可能とするものであれば、容器本体と一体に形成されたものであってもよい。また別部品とした場合には、容器本体と同様に様々な形成目的に合わせて使用材料を適宜選択できる。例えば、容器本体から着脱し易いように、多くの合成樹脂に比べて柔軟性のある、低価格のポリエチレン、ポリプロピレンなどのオレフィン系の合成樹脂などが例示できる。
【実施例】
【００１３】
以下、図面に基づき一例について説明する。
図１及び図１のＩ−Ｉ’線断面矢視図である図２（尚、図1は図２のＩＩ−ＩＩ’断面矢視図の関係として示している。）に示したものは、内外の横断面形状を、対峙する２つの角を６０゜、他の２つの角を１２０゜の角度にて形成した四角柱形の有底筒状であり、透明性のあるポリスチレン樹脂の射出成形品である容器本体１と、容器本体１の開口部に着脱自在であるポリエチレン樹脂の射出成形品である蓋体２により形成された替芯容器の一例である。
容器本体１の底部１ｂより開口部１ｃの端面までの長さは６５ｍｍであり、容器本体１の開口部１ｃ近傍の外周上には、開口部１ｃを被覆して閉塞する蓋体２が定位置で係止する係止部１ｄが設けられている。
尚、本例に示した収容される替芯３は、直径０．５ｍｍ、長さ６０ｍｍの円柱状のものとしてある。
【００１４】
容器本体１の芯収容空間１ａには、２つの角度６０゜の角部に連接して内方凸部１ｅ、１ｆが設けられ、一方が、替芯３を３本だけ取り出す場合に用いる内方凸部１ｅ、他方が、替芯３を６本取り出す場合に用いる内方凸部１ｆとしてある。替芯３を３本だけ取り出す場合に用いる内方凸部１ｅの替芯３の乗り上げ面１ｇの形状は略正三角形状としてあり、替芯３の乗り上げ面１ｇの面積は替芯３の面積の３倍に設定し、確実に替芯３が３本乗り上げるようになっている。また、内方凸部１ｆは内方凸部１ｅと同様の略正三角形状とし、確実に替芯３を６本取り出すよう、乗り上げ面１ｈの面積を替芯３の面積の６倍に設定してある。また、芯収容空間１ａの底部１ｂからの高さが１ｃｍの位置に、２つの内方凸部１ｅ、１ｆは設けられているので、内方凸部１ｅ、１ｆに乗り上げた替芯３は、他の替芯３よりも１ｃｍ以上突出することになり、替芯３を指で摘んだ際、他の替芯３を誤って摘むことが極力抑制されるようになっている。
【００１５】
尚、本例の替芯容器は、容器本体１を一部品で成形したものであるが、内方凸部１ｅ、１ｆの形成部分と容器本体１を別部材に形成するなど本例の部品構成に限られるものではない。
【００１６】
図３乃至図５に示したものは、替芯３を３本取り出す手順の一例を示したものである。
まず、図３に示したように、容器本体１の開口部１ｃを蓋体２にて閉塞した状態で、内方凸部１ｅを真下に位置させて、容器本体１の内部に収容された替芯３が振動して移動するよう傾ける。次いで図４に示すように、そのまま、容器本体１を蓋体２が上向きになる位置まで傾きを解除する。この時、芯収容空間１ａは、３本の替芯３が内方凸部１ｅ上に位置し、他の替芯３が底部１ｂに移動した状態となる。次いで、蓋体２を容器本体１から外すことにより、図５に示すように替芯３が３本だけ、容器本体１の開口部１ｃから他の替芯３よりも１ｃｍ突出しているため容易に３本の替芯３を取り出すことができるものである。
【００１７】
図６に他の一例を示す。
図１のＩ−Ｉ’矢視図である図２に相当する図６に示したものは、芯収容空間１ａを円筒状にし、内方凸部１ｉを全周状に配置したものである。内方凸部１ｉの替芯３の乗り上げ面１ｊは、芯収容空間１ａの内壁から、替芯３の直径と同じ、０．５ｍｍとしている。芯収容空間１ａの底部１ｂからの距離は１ｃｍとしている。これにより、替芯３の取り出し本数を図１乃至図２の例のように特定することができないものの、少数の替芯３を内方凸部１ｉの位置決めせずに、替芯容器の傾斜位置を気にせず、任意の位置で傾斜させて、替芯３を容器本体１から取り出すことができる。
【図面の簡単な説明】
【００１８】
【図１】一例を示す縦断面図。
【図２】図１のＩ−Ｉ’部拡大矢視図。
【図３】使用例を示す縦断面図。
【図４】使用例を示す縦断面図。
【図５】使用例を示す縦断面図。
【図６】他の一例を示す図２相当図
【符号の説明】
【００１９】
１  容器本体
１ａ  芯収容空間
１ｂ  底部
１ｃ  開口部
１ｄ  係止部
１ｅ  内方凸部
１ｆ  内方凸部
１ｇ  乗り上げ面
１ｈ  乗り上げ面
１ｉ  内方凸部
１ｊ  乗り上げ面
２  蓋体
３  替芯
【図１】
2008055804.tif 000003
【図２】
2008055804.tif 000004
【図３】
2008055804.tif 000005
【図４】
2008055804.tif 000006
【図５】
2008055804.tif 000007
【図６】
2008055804.tif 000008